【手続補正書】
【提出日】平成19年1月18日(2007.1.18)
【手続補正１】
【補正対象書類名】特許請求の範囲
【補正対象項目名】全文
【補正方法】変更
【補正の内容】
【特許請求の範囲】
【請求項１】
レーダ波検出が必要な周波数帯において通信局間で信号の送受信を行なう無線通信システムであって、
当該システムを構成する２台以上の通信局が、レーダ波の検出及びレーダ波の検出に応じて使用搬送波周波数の変更を各局に指示する干渉回避動作モードと、他局からの使用搬送波周波数の変更指示に応じて使用搬送波周波数を変更しながら通信動作を行なう通常動作モードを切り替えながら動作する、
ことを特徴とする無線通信システム。
【請求項２】
レーダ波検出が必要な周波数帯において信号の送受信を行なう無線通信装置であって、
複数の使用可能な搬送波周波数で無線データを送受信する通信手段と、
現在使用中の搬送波周波数でレーダ波を監視するレーダ波検出手段と、
レーダ波の検出及びレーダ波の検出に応じて使用搬送波周波数の変更を各局に指示する干渉回避動作モードと、他局からの使用搬送波周波数の変更指示に応じて使用搬送波周波数を変更しながら通信動作を行なう通常動作モードのいずれかの動作モードで前記通信手段における通信動作を制御する通信制御手段と、
を具備することを特徴とする無線通信装置。
【請求項３】
前記通信制御手段は、前記通常動作モード下では前記レーダ検出手段の動作を停止する、
ことを特徴とする請求項２に記載の無線通信装置。
【請求項４】
前記通信制御手段は、同じ通信範囲内で動作する通信局間で取り決められている干渉回避動作モードで動作する順序を記述した順序テーブルを保持する、
ことを特徴とする請求項２に記載の無線通信装置。
【請求項５】
前記通信制御手段は、前記順序テーブルに従って干渉回避動作モードと通常動作モードの切り換えを行なう、
ことを特徴とする請求項３に記載の無線通信装置。
【請求項６】
前記通信制御手段は、現在干渉回避動作モード下で動作しているときに、通常動作モード下で動作中の他の通信局に対し次に干渉回避動作モードで動作すべき旨を通知し、該他の通信局からの確認応答を受信したことにより、干渉回避動作モードから通常動作モードに遷移する、
ことを特徴とする請求項２に記載の無線通信装置。
【請求項７】
前記通信制御手段は、干渉回避動作モード下で動作しているときに、通常動作モード下で動作中の他の通信局に対し次に干渉回避動作モードで動作すべき旨を通知し、該他の通信局が干渉回避動作モードに遷移した旨の通知を受信したことにより、干渉回避動作モードから通常動作モードに遷移する、
ことを特徴とする請求項２に記載の無線通信装置。
【請求項８】
前記通信制御手段は、干渉回避動作モードで動作する順序を記述した順序テーブルを保持し、前記順序テーブルを基に１以上の他の通信局に対し干渉回避動作モードで動作すべき旨を通知する、
ことを特徴とする請求項６又は５のいずれかに記載の無線通信装置。
【請求項９】
前記通信制御手段は、隣接局を管理する隣接局リストを保持し、干渉回避動作モード下で動作しているときに、前記隣接局リストに挙げられている隣接局の中から特定の確率でランダムに次に干渉回避動作モードで動作すべき旨を通知する通信局を選択する、
ことを特徴とする請求項６又は７のいずれかに記載の無線通信装置。
【請求項１０】
前記隣接局リストは、前記第１の通信局の通信可能な範囲にある隣接局のリストで構成される、
ことを特徴とする請求項９に記載の無線通信装置。
【請求項１１】
前記通信制御手段は、前記隣接局リストに挙げられている隣接局の中からほぼ等しい確率を以って通信局を選択する、
ことを特徴とする請求項９に記載の無線通信装置。
【請求項１２】
前記通信制御手段は、前記隣接局リストに挙げられている各隣接局に電源状況情報に基づいた重み付けをした確率を以って通信局を選択する、
ことを特徴とする請求項９に記載の無線通信装置。
【請求項１３】
前記通信制御手段は、ＡＣ電源駆動の通信局により高い重みを、バッテリ駆動の通信局により低い重みをそれぞれ付ける、
ことを特徴とする請求項１２に記載の無線通信装置。
【請求項１４】
前記順序テーブルには、各通信局の電源状況情報を記述し、電源状況情報に応じて各通信局が干渉回避動作モードでの動作時間が割り当てられる、
ことを特徴とする請求項４又は８のいずれかに記載の無線通信装置。
【請求項１５】
前記順序テーブルには、各通信局がＡＣ電源駆動又はバッテリ駆動であるかを識別する情報が記述され、ＡＣ電源駆動の通信局に対してバッテリ駆動の通信局よりも長い干渉回避動作モードの動作時間が割り当てられる、
ことを特徴とする請求項１４に記載の無線通信装置。
【請求項１６】
干渉回避動作モードで動作可能な通信局が当該システムに新規参入又は離脱するなどのネットワーク構成が変化した場合、
前記通信制御手段は、通常動作モード下で動作するときには該ネットワーク構成の変化を検知したことに応答して他局に報知し、干渉回避動作モード下で動作するときには該ネットワーク構成の変化を検知又は他局からの報知を受信すると、前記順序テーブルの内容を更新する、
ことを特徴とする請求項４又は８のいずれかに記載の無線通信装置。
【請求項１７】
装置の駆動電源としてのバッテリと、前記バッテリの残存容量を検出するバッテリ残容量検出手段をさらに備え、
前記通信制御手段は、
前記バッテリ残容量検出手段によりバッテリ残容量の変動が検出された場合にはその旨を報知し、
干渉回避動作モード下で動作するときは、他局からのバッテリ残容量変動の報知を受信すると、前記順序テーブルの内容を更新する、
ことを特徴とする請求項１４に記載の無線通信装置。
【請求項１８】
前記通信制御手段は、干渉回避動作モードによる動作時間を前記バッテリ残容量検出手段により検出されたバッテリの残存容量に応じて決定する、
ことを特徴とする請求項２に記載の無線通信装置。
【請求項１９】
前記順序テーブルに各通信局の干渉回避動作モードでの動作時間を記載する、
ことを特徴とする請求項４又は８のいずれかに記載の無線通信装置。
【請求項２０】
装置の駆動電源としてＡＣ電源を備え、
前記通信制御手段は、干渉回避動作モードによる動作時間を無期限に設定する、
ことを特徴とする請求項２に記載の無線通信装置。
【請求項２１】
前記通信制御手段は、干渉回避動作モードによる動作時間を自局の電源状況に応じて自律的に決定する、
ことを特徴とする請求項２に記載の無線通信装置。
【請求項２２】
レーダ波検出が必要な周波数帯において信号の送受信を行なうための無線通信方法であって、複数の搬送波周波数が使用可能であり、
現在使用中の搬送波周波数でレーダ波を監視するレーダ波検出ステップと、
レーダ波の検出及びレーダ波の検出に応じて使用搬送波周波数の変更を各局に指示する干渉回避動作モードと、他局からの使用搬送波周波数の変更指示に応じて使用搬送波周波数を変更しながら通信動作を行なう通常動作モードのいずれかの動作モードで通信動作を制御する通信制御ステップと、
を具備することを特徴とする無線通信方法。
【請求項２３】
レーダ波検出が必要な周波数帯において信号の送受信を行なう無線通信の動作制御をコンピュータ上で実行するようにコンピュータ可読形式で記述されたコンピュータ・プログラムであって、複数の搬送波周波数が使用可能であり、前記コンピュータに対し、
現在使用中の搬送波周波数でレーダ波を監視するレーダ波検出手順と、
レーダ波の検出及びレーダ波の検出に応じて使用搬送波周波数の変更を各局に指示する干渉回避動作モードと、他局からの使用搬送波周波数の変更指示に応じて使用搬送波周波数を変更しながら通信動作を行なう通常動作モードのいずれかの動作モードで通信動作を制御する通信制御手順と、
を実行させることを特徴とするコンピュータ・プログラム。